(57)【要約】【課題】１つの光源で最適な照射方向を得ることができるようにする。【解決手段】硬質なプレート３にフレキシブルプリント基板４のＬＥＤ実装部４Ａを取り付け、ＬＥＤ５の光を透過させるベース１にプレート３の一端側を回動可能に支持する支持脚２を取り付け、ベース１にプレート３の他端側を上下動させるガイド部材６を取り付け、このガイド部材６をスライドさせてガイド部材６に形成されたガイド溝７に沿ってプレート３を傾斜させてＬＥＤ５の照射方向を変えるようにした。【選択図】図１
2007302045.tif 000002
【特許請求の範囲】
【請求項１】
硬質なプレートにフレキシブルプリント基板のＬＥＤ実装部を取り付け、
前記ＬＥＤの光を透過させるベースに前記プレートの一端側を回動可能に支持する支持脚を取り付け、
前記ベースに前記プレートの他端側を上下動させるガイド部材を取り付け、
このガイド部材をスライドさせてガイド部材に形成されたガイド溝に沿って前記プレートを傾斜させてＬＥＤの照射方向を変えることを特徴とする車両用照明装置。
【請求項２】
前記プレートの他端側に突起を設け、この突起をガイド部材のガイド溝に挿入し、ガイド部材をベースに形成されたスライド溝からベースの表側に突出させたことを特徴とする請求項１に記載の車両用照明装置。
【請求項３】
前記ガイド部材がＦＰＣに実装されたスイッチのノブを押し込んでいるときにＬＥＤをオフ状態とし、ガイド部材をスライドさせることによりノブの押し込みが解除されてＬＥＤをオン状態にすることを特徴とする請求項１又は２に記載の車両用照明装置。
【発明の詳細な説明】
【技術分野】
【０００１】
本発明は、車両用照明装置、特に、１つの筐体内にルームランプやマップランプ（スポットランプともいう）等を収納して車両室内天井に設けたオーバーヘッドモジュール（車両用室内灯）に適用して好適な照明装置に関する。
【背景技術】
【０００２】
従来から車両室用には、１つの筐体内にルームランプとマップランプ等を収容して車両室内天井に設けたオーバーヘッドモジュール（車両用室内灯）が用いられている。その構造は、ルームランプ用の舟形バルブとマップランプ用の高輝度バルブが別々に設けられている（特許文献１参照）。
【０００３】
特許文献１の従来技術では、マップランプ用としてのバルブは、その機能から従来のルームランプ用の舟形バルブよりも高輝度であることから、室内夜間照明用としては明るすぎるという問題があり、別々のバルブを用いている。別々のバルブを用いた場合、筐体の大型化、部品点数増大による製品コストの高騰という問題がある。その解決策として１つのバルブを抵抗により照度を変化させ、マップランプ・ルームランプの機能を兼用する構造が考えられている（特許文献２参照）。
【特許文献１】特開２０００−２７２４０９号公報（第３頁、図２）
【特許文献２】特開２００４−１８２０１２号公報（第５頁、図２）
【発明の開示】
【発明が解決しようとする課題】
【０００４】
特許文献２に記載の従来例では、マップランプ・ルームランプとして使用した場合、照射方向は同一であるため、それぞれ最適な照射方向を得ることができない。
【０００５】
そこで、本発明は、１つの光源（光源の集合体）で最適な照射方向を得ることができるようにすることを目的とする。
【課題を解決するための手段】
【０００６】
上述の目的を達成するため、本発明は、硬質なプレートにフレキシブルプリント基板のＬＥＤ実装部を取り付け、ＬＥＤの光を透過させるベースにプレートの一端側を回動可能に支持する支持脚を取り付け、ベースにプレートの他端側を上下動させるガイド部材を取り付け、このガイド部材をスライドさせてガイド部材に形成されたガイド溝に沿ってプレートを傾斜させてＬＥＤの照射方向を変えるようにしたものである。
【発明の効果】
【０００７】
本発明によれば、硬質なプレートにフレキシブルプリント基板のＬＥＤ実装部を取り付け、ＬＥＤの光を透過させるベースにプレートの一端側を回動可能に支持する支持脚を取り付け、ベースにプレートの他端側を上下動させるガイド部材を取り付け、このガイド部材をスライドさせてガイド部材に形成されたガイド溝に沿ってプレートを傾斜させてＬＥＤの照射方向を変えるようにしたので、ＬＥＤの角度を変化させることによって、マップランプ・ルームランプとして使用する場合の最適な照射方向を得ることが可能である。また、ＬＥＤ実装部、制御部品実装部、およびスイッチ実装部は１枚のＦＰＣで作られているため、上記の構造をリジッド基板で作った場合と比較して部品点数が少ない。すなわち、リジッド基板の場合は、ＬＥＤ部２枚（マップランプとルームランプの各光源を設けた場合）、制御部１枚、およびそれを接続する配線材が必要となる。よって、本願発明では、コスト削減に貢献できる。さらに、マップランプとルームランプを同一の照明部品（ＬＥＤ）を用いることによって照明部品（ＬＥＤ）の部品点数の削減が可能である。そのためにコスト削減に貢献できる。
【発明を実施するための最良の形態】
【０００８】
以下に、本発明の好適な実施形態について、図面を参照にして説明する。
【０００９】
図１では、ベース１（光透過部材）上に一対の支持脚２を設け、これら一対の支持脚２の間に硬質なプレート３の一端側を回動可能に取り付けてある。支持脚２の上端でピン２Ａをプレート３の両側面に差し込んでプレート３の他端側が揺動可能となるように構成してある。このプレート３の裏面にフレキシブルプリント基板（ＦＰＣ）４のＬＥＤ５（図２参照）が実装された部分を取り付けてある。このＬＥＤ実装部を符号４Ａで示す。このプレート３に取り付けられたＬＥＤ実装部４Ａからプレート３の他端側から先に伸びたＦＰＣ４には、他の制御部品やスイッチなどの部品実装部４Ｂが存在する。
【００１０】
前記プレート３の他端側は、ガイド部材６に取り付けられ、このガイド部材６をスライドさせることによりプレート３の他端側を上下動させ、プレート３が取り付けられたピン２Ａを支点としてプレート３が揺動する。ガイド部材６には、緩やかなＳ字状をなしたガイド溝７が形成されている。このガイド溝７にはプレート３の他端側に取り付けられたピン８が嵌まり込んでいる。前記ガイド部材６はベース１に形成されたスライド溝９からベース１の表側に突出している。このガイド部材６のベース１の表側に突出した部分にはノブ１０を設けてある。このノブ１０をスライド溝９に沿ってスライドさせることにより、プレート３の他端側をシーソーのように上下動させることができる。このときピン８が図２に示す位置でガイド溝７に嵌まり込んだ状態では、ＬＥＤ５はベース１の真下を照射するようになっている。符号ＬはこのＬＥＤ５の照射領域を示す。
【００１１】
図２に示す状態からノブ１０をつまんでガイド部材６をスライド溝９に沿って図面上右手方向へスライドさせていくと、ピン８はガイド溝７に沿って下降していく。丁度、図３に示すようなガイド溝７の中間地点にピン８が到達したとき、ＬＥＤ５の照射領域Ｌはベース１に対して、図面上右斜め下に傾いた状態となる。さらにノブ１０をスライドさせればＬＥＤ５の照射領域Ｌはさらに右手方向を照射することとなる。
【００１２】
図４は部品実装部４Ｂを中央に設け、この部品実装部４Ｂの両脇にＬＥＤ実装部４Ａをそれぞれ設け、一方のＬＥＤ実装部４Ａをルームランプとして使用し、片方のＬＥＤ実装部４Ａをマップランプとして使用することができるようにしたものである。このうちマップランプとして用いる側のＬＥＤ実装部４Ａのみを図１ないし図３に示すようなガイド部材６により照射方向を変化させるようにしても良いし、両方とも照射方向を可変にすることもできる。部品実装部４ＢにはスイッチやＬＥＤ５を照射させるための部品等が実装されている。
【００１３】
図５は、図４に示すようなＦＰＣ４を収納するカバー１１を示し、符号１２はレンズを示す。またノブ１０兼スイッチボタンをカバー１１の表側に露出させてある。このカバー１１を前記ベース１としている。
【００１４】
前記ノブ１０をスイッチボタンとする場合の一例としては、図６および図７に示すようにガイド部材６の基端側にスイッチガイド１３を形成しておき、このスイッチガイド１３でＦＰＣ４の一部４Ｃに実装したスイッチ１４のノブ１４Ａを押し込むようにする。このスイッチガイド１３でスイッチ１４のノブ１４Ａが押し込まれた状態においては、ＬＥＤ５はオフ状態にあり（図６参照）、ガイド部材６をスライドさせてスイッチガイド１３がスイッチ１４のノブ１４Ａから離れ、ノブ１４Ａが伸びた状態においてＬＥＤ５はオン状態となるように構成してある。したがってノブ１０の操作によりＬＥＤ５のスイッチのオン／オフが行われる。このようなスイッチ１４を設けた場合には、ノブ１０がスイッチのオン／オフを図る手段（スイッチボタン）となり、ノブ１０を動かすことによりＬＥＤ５の照射方向が変化することによって、同一のＬＥＤ５でマップランプとルームランプとして使用することもでき、さらにはマップランプとして使用する場合は、照射方向の角度調整がノブ１０を操作することにより可能となるものである。
【図面の簡単な説明】
【００１５】
【図１】本発明の好適な実施形態を示す斜視図。
【図２】図１の側面図。
【図３】ノブを操作してガイド部材をスライドさせた状態の側面図。
【図４】ＦＰＣの構成例を示す斜視図。
【図５】図４のＦＰＣを内蔵したカバーの斜視図。
【図６】ガイド部材とＬＥＤのスイッチとを関連づけた実施形態を示す要部の側面図。
【図７】ガイド部材をスライドさせた状態の側面図。
【符号の説明】
【００１６】
１    ベース
２    支持脚
３    プレート
４    ＦＰＣ
４Ａ  ＬＥＤ実装部
５    ＬＥＤ
６    ガイド部材
７    ガイド溝
９    スライド溝
【図１】
2007302045.tif 000003
【図２】
2007302045.tif 000004
【図３】
2007302045.tif 000005
【図４】
2007302045.tif 000006
【図５】
2007302045.tif 000007
【図６】
2007302045.tif 000008
【図７】
2007302045.tif 000009